(57)【要約】      （修正有）【課題】着脱などの作業を容易で、被介護者が通常のパジャマを着た感覚となる介護用パジャマを提供する。【解決手段】被介護者の上半身に着用する上着１０と、前記上着１０を着用した被介護者の胴部に巻き付けるウエスト部２１を有し、このウエスト部２１に設けられた前記被介護者へ着脱自在であるが脱げないように着用させる着脱部を備える巻スカート形のスカート２０と、前記被介護者に前記スカート２０を着用させた状態において、前記被介護者の足首から前記スカート２０の裾を越える位置までを覆う筒状の疑似ズボン３０とを具備する。【選択図】図２
0003172375.tif 000002
【実用新案登録請求の範囲】
【請求項１】
被介護者の上半身に着用する上着と、
前記上着を着用した被介護者の胴部に巻き付けるウエスト部を有し、このウエスト部に設けられた着脱部を備える巻スカート形のスカートと、
前記被介護者に前記スカートを着用させた状態において、前記被介護者の足首から前記スカートの裾を越える位置までを覆う筒状の疑似ズボンと
を具備することを特徴とする介護用パジャマ。
【請求項２】
着脱部として、被介護者の胴部に巻き付けられてスカートが脱げないようにウエストサイズを調整するゴムが取り付けられていることを特徴とする請求項１に記載の介護用パジャマ。
【請求項３】
疑似ズボンは、筒状の上下端部における少なくとも上端部に弾性部材が設けられ、前記被介護者の足における所望位置に着用可能であることを特徴とする請求項１または２に記載の介護用パジャマ。
【請求項４】
上着とスカートとは、面状ファスナーにより着脱自在に構成されていることを特徴とする請求項１乃至３のいずれか１項に記載の介護用パジャマ。
【考案の詳細な説明】
【技術分野】
【０００１】
この考案は、オムツを着用する被介護者、特に女性被介護者に使用させると好適な介護用パジャマに関するものである。
【背景技術】
【０００２】
介護用パジャマは着せ替えを容易とする観点から様々なものが提供されており、上着の腕部から胸部に到る線に沿って着脱自在とする部材を設けたものが知られている（特許文献１参照）。このパジャマにおいては、ズボンに代えてウエスト部分を面状ファスナーによって止めるようにした全開閉可能の巻スカート状のものを採用できるということである。
【０００３】
また、ズボンの外側部及び内側部を上下方向に延びる面状ファスナーで着脱自在に構成し、被介護者を寝かせた状態で上記面状ファスナー部分を開放することにより一枚の布状にすることが可能な介護用パジャマの下衣も知られている（特許文献２参照）。
【先行技術文献】
【特許文献】
【０００４】
【特許文献１】特開２００４−８４１５１号公報
【特許文献２】特開２００８−２６６８４６号公報
【考案の概要】
【考案が解決しようとする課題】
【０００５】
しかしながら、上記のパジャマは介護者が着脱などの作業を容易に行うことができる観点から考案されており、被介護者が通常のパジャマを着たような感覚で過ごせることを狙ったものではない。従って、特に女性の被介護者にとっては、如何にも介護用服を着せられているように感じられ、とても楽しく介護を受けるためのものとはなっていない。
【０００６】
本考案は上記のような介護用パジャマの現状に鑑みてなされたもので、その目的は、介護者が着脱などの作業を容易に行うことができると共に、被介護者が通常のパジャマを着たような感覚で過ごすことが可能な介護用パジャマを提供することである。
【課題を解決するための手段】
【０００７】
本考案に係る介護用パジャマは、被介護者の上半身に着用する上着と、前記上着を着用した被介護者の胴部に巻き付けるウエスト部を有し、このウエスト部に設けられた着脱部を備える巻スカート形のスカートと、前記被介護者に前記スカートを着用させた状態において、前記被介護者の足首から前記スカートの裾を越える位置までを覆う筒状の疑似ズボンとを具備することを特徴とする。
【０００８】
本考案に係る介護用パジャマは、着脱部として、被介護者の胴部に巻き付けられてスカートが脱げないようにウエストサイズを調整するゴムが取り付けられていることを特徴とする。
【０００９】
本考案に係る介護用パジャマでは、疑似ズボンは、筒状の上下端部における少なくとも上端部に弾性部材が設けられ、前記被介護者の足における所望位置に着用可能であることを特徴とする。
【００１０】
本考案に係る介護用パジャマは、上着とスカートとは、面状ファスナーにより着脱自在に構成されていることを特徴とする。
【考案の効果】
【００１１】
本考案介護用パジャマは、巻スカート形のスカートと、被介護者に前記スカートを着用させた状態において、前記被介護者の足首から前記スカートの裾を越える位置までを覆う筒状の疑似ズボンとを備えるので、見た目においては、パジャマのズボンを着用した上に、巻スカート形のスカートを着用した如くに見えてオシャレであるばかりか、介護者が着脱などの作業を容易に行うことができる。しかも上着は、被介護者の上半身に着用するタイプの通常のパジャマのものを用いることができ、被介護者が通常のパジャマを着たような感覚で過ごすことが可能である。
【００１２】
本考案の介護用パジャマは、疑似ズボンが、筒状の上下端部の少なくとも上端部に弾性部材が設けられ、被介護者の足における所望位置に着用可能であるので、介護者が着脱などの作業を容易に行うことができる。
【００１３】
本考案の介護用パジャマは、上着とスカートとは、面状ファスナーにより着脱自在に構成されているので、被介護者が着用しているときには上着とスカートとが離れ難く着やすく、洗濯などに際しては上着とスカートとを切り離して別々に処理が可能であり、便利である。
【図面の簡単な説明】
【００１４】
【図１】本考案に係る介護用パジャマの実施形態の着用状態を示す正面図。
【図２】本考案に係る介護用パジャマの実施形態の着用状態においてスカートを取り外した状態を示す正面図。
【図３】本考案に係る介護用パジャマの実施形態の着用状態においてスカートを取り外した状態を示す背面図。
【図４】本考案に係る介護用パジャマの実施形態の着脱部に係る第１の変形例を示す斜視図。
【図５】本考案に係る介護用パジャマの実施形態の着脱部に係る第２の変形例を示す斜視図。
【図６】本考案に係る介護用パジャマの実施形態の着脱部に係る第３の変形例を示す斜視図。
【考案を実施するための形態】
【００１５】
以下図面を参照して、本考案に係る介護用パジャマの実施形態を説明する。各図において同一の構成要素には同一の符号を付して重複する説明を省略する。本考案の実施形態に係る介護用パジャマは、図１、図２に正面図を、図３に背面図を示すように、被介護者Ａの上半身に着用する上着１０と、上着を着用した被介護者の胴部に巻き付ける巻スカート形のスカート２０と、筒状の疑似ズボン３０とを備えている。上着１０、スカート２０及び疑似ズボン３０は、例えば同じ或いは異なる材質の布で構成することができ、通気性や着心地をなど考慮して様々なものを用いることができる。
【００１６】
上着１０は、シャツタイプのウエアであり、胴部１１と袖部１２と襟部１３とを有する。胴部の前中央は前開部１４が形成され、ボタン１５により前開部１４が開閉される。ボタン１５に代えてホックやその他の止具を採用可能である。袖口１６は、何も設けない開口部とすることもできるが、被介護者の食事などの動作の妨げにならぬようにゴムなどの弾性部材を設けても良い。
【００１７】
また、袖口１６をボタンやホックにより開閉可能に構成しても良い。上着１０の裾部１７は、何も設けない開口部とすることができる。従って、上着１０は、上下に別れた通常のパジャマと同様な構成とすることができる。
【００１８】
襟部１３は、襟ぐり１８から左右の脇方向へ延びる先端が円形に形成された襟羽１９を有する。襟部１３は、上着１０の本体部に概ね密着するように重ねられており、首部分を一周するように取り付けられている。
【００１９】
スカート２０は、基本的に一枚の長方形状の布により構成することが可能である。スカート２０は、上着１０を着用した被介護者Ａの胴部に巻き付けるウエスト部２１を有し、このウエスト部２１に設けられた被介護者Ａへ着脱自在であるが脱げないように着用させる着脱部を備える。この実施形態においては、着脱部は、ウエスト部２１に沿って縫われて固定されており、ウエスト部２１の両端部から延在して設けられている紐２２である。この紐２２を被介護者Ａの胴部に巻き付けて結ぶことによりスカート２０が脱げないように固定することができる。
【００２０】
着脱部の第１の変形例を図４に示す。この変形例では、スカート２０におけるウエスト部２１において、背骨に対応する部分から両脇腹付近まで、筒内又は直接にゴム２３が取り付けられ、ウエストサイズに合わせて伸縮するように構成されている。同様に、ウエストサイズ調整用のゴム２４が、スカート２０の前面において上側に重なる端部に筒内又は直接に取り付けられている。
【００２１】
上記ゴム２４が取り付けられた先端部からはボタン穴を先端部に有する舌片２５が延設されており、下側に重なる布の外側部分にボタン２６が設けられ、外側の固定が可能となっている。スカート２０の下側に重なったウエスト部２１の先端からは、ボタン穴を先端部に有する舌片２７が延設されており、上側に重なる布の内側部分にボタン２８が設けられ、内側の固定が可能となっている。
【００２２】
図５には、第２の変形例が示されている。この変形例は、図４の変形例のボタン２６、２８を、面状ファスナーの一方のファスナー２６Ａ、２８Ａに変更し、対応するボタン穴を他方の面状２６Ｂ、２８Ｂに変更したものであり、その他の変更はない。図６には、第３の変形例が示されている。この変形例は第１の変形例のボタン２６と舌片２５の先端部に形成されたボタン穴の組み合わせを、線ファスナー２９に変更したものであり、その他の変更はない。いずれの変形例にあってもスカートの脱落を適切に防止することができる。
【００２３】
また、スカート２０が巻き付けられる上着１０における背中側の腰部領域と、これに対応するスカート２０のウエスト部２１の縁部には、面状ファスナー２３Ａが設けられている。スカート２０は縁部に設けられた面状ファスナー２３Ａによって上着１０の背中側の腰部に着脱自在に取り付けられる。このため、被介護者Ａが着用しているときには上着１０とスカート２０とが離れ難く着やすく、また、洗濯などに際しては上着１０とスカート２０とを切り離して別々に処理が可能であり、便利である。面状ファスナー２３Ａは、必須の構成要件ではないことは勿論である。
【００２４】
疑似ズボン３０は筒状の布であって、被介護者Ａに上記スカート２０を着用させた状態において、被介護者Ａの足首から上記スカート２０の裾を越える位置までを覆うように構成されている。ここでは、疑似ズボン３０は膝の上部から足首までの長さを有している。疑似ズボン３０の上端部には、筒状のゴムなどの弾性部材による滑り止めバンド３１が筒の開口部における端縁部に設けられている。また、足首に対応する疑似ズボン３０の下端部には、筒状のゴムなどの弾性部材による滑り止めバンド３２が筒の開口部における端縁部に設けられている。勿論、上端部の弾性部材である滑り止めバンド３１のみを設けた構成としても良い。
【００２５】
以上のように構成された介護用パジャマは、上着１０、スカート２０及び疑似ズボン３０を着せた状態では、ズボンと上着の通常のパジャマにおいて、ズボンの部分にスカート２０を着用したように見える。
【００２６】
被介護者Ａにオムツを当てる場合には、図３に示すようにスカート２０の紐２２を解き、臀部及び腰部にオムツ４０を適宜当てて、両翼の折畳部４１と前方の折畳部４２を重ねて、止め具４３でこれらを貼り合わせて固定する。この後に、スカート２０を巻き付けて紐２２を腰部に巻き付けて結ぶことで、元の通り、ズボンと上着の通常のパジャマにおいて、ズボンの部分にスカート２０を着用した状態に戻る。また、オムツを取り替える場合の手順もオムツを当てる場合に準じたものとなる。このような介護の場合に、被介護者Ａを寝かせた状態でもまた被介護者Ａを立たせた状態においても、スカート２０を広げて簡単にオムツ４０を着脱させることができ極めて便利である。
【００２７】
また、被介護者Ａは、オムツ交換が終わった場合には、ズボンと上着の通常のパジャマにおいて、ズボンの部分にスカート２０を着用したように見えるようになることから、被介護者Ａが通常のパジャマを着たような感覚で過ごすことが可能であり、被介護者Ａが楽しく過ごすことが期待でき、被介護者Ａの精神の安定を図ることができるものである。
【符号の説明】
【００２８】
１０  上着
１２  袖部
１３  襟部
１４  前開部
１５  ボタン
１６  袖口
１７  裾部
２０  スカート
２１  ウエスト部
２２  紐
２３Ａ  面状ファスナー
３０  疑似ズボン
３１  バンド
３２  バンド
４０  オムツ
【図１】
0003172375.tif 000003
【図２】
0003172375.tif 000004
【図３】
0003172375.tif 000005
【図４】
0003172375.tif 000006
【図５】
0003172375.tif 000007
【図６】
0003172375.tif 000008